(57)【要約】【課題】階段下スペースを例えば物干しスペースとして有効に活用することができる階段下スペースを有する建物を得ることを目的とする。【解決手段】階段１２の下方には階段下スペース３２が形成されており、壁３４には仕切り部材３８及び物干しパイプ４２が収納及び引出し可能に配設されている。仕切り部材３８を引き出すことにより目隠しパネルとなり、洗濯物等が見えないようにすることができる。【選択図】図３
2008259569.tif 000002
【特許請求の範囲】
【請求項１】
下方側に階段下スペースが形成された階段と、
この階段及び階段付近の壁側の少なくとも一方に設けられ、前記階段下スペースを当該階段下スペースと連通された空間から隔成する仕切り手段と、
を有することを特徴とする階段下スペースを有する建物。
【請求項２】
前記仕切り手段は、階段側又は壁側に収納可能とされ、不使用時には収納状態とされかつ使用時には階段側又は壁側から引き出される使用状態とされる一又は二以上の仕切り部材を含んで構成されている、
ことを特徴とする請求項１記載の階段下スペースを有する建物。
【請求項３】
前記仕切り手段は、階段側又は壁側に設置され、作動することにより仕切り位置へ向けてエアを噴出するエアカーテンである、
ことを特徴とする請求項１記載の階段下スペースを有する建物。
【請求項４】
前記階段には、当該階段に折り畳み可能に設けられると共に、不使用時には階段側に折り畳まれて格納状態とされかつ使用時には階段から離間する方向へ引き出されて使用状態とされる骨組構造体が設けられている、
ことを特徴とする請求項１〜請求項３のいずれか一項に記載の階段下スペースを有する建物。
【請求項５】
前記壁には、前記階段下スペース内において当該壁に対して直交する方向へ伸縮可能な棒状体が設けられている、
ことを特徴とする請求項１〜請求項３のいずれか一項に記載の階段下スペースを有する建物。
【請求項６】
請求項４記載の骨組構造体又は請求項５記載の棒状体は中空筒状に形成されていると共に周壁部に複数の乾燥風吹き出し孔が形成されており、
当該骨組構造体又は当該棒状体には、乾燥風供給手段から乾燥風が供給される、
ことを特徴とする請求項４又は請求項５記載の階段下スペースを有する建物。
【請求項７】
前記階段は、壁面に隣接又は近接して設けられている、
ことを特徴とする請求項１〜請求項６のいずれか一項に記載の階段下スペースを有する建物。
【請求項８】
前記階段は、壁面から離間した位置に独立して設けられている、
ことを特徴とする請求項１〜請求項６のいずれか一項に記載の階段下スペースを有する建物。
【発明の詳細な説明】
【技術分野】
【０００１】
本発明は、階段下スペースを有する建物に関する。
【背景技術】
【０００２】
一般に、天候不良時や昼間の外出時、陰干しにする衣類を乾かす際等に、洗濯物を屋内で干すが、屋内には物干しに適した環境が少ない。このため、浴室や洗面室のランドリーパイプを利用したり、サンルームを利用したりすることもあるが、浴室や洗面室、サンルームの未使用時に利用しなければならず、又湿気が多い場所でもあるので洗濯物が乾き難い等の問題がある。また、サンルームは必ずしも設けられているとは限らない。
【０００３】
下記特許文献１には、階段の段差に配慮することで階段上のスペースを利用して洗濯物を干せるようにした技術が開示されている。
【特許文献１】特開２００５−１６０９９４号公報
【発明の開示】
【発明が解決しようとする課題】
【０００４】
しかしながら、上記特許文献１に開示された先行技術による場合、物干し装置が階段上に常設されるため、見栄えが悪い他、階段を狭めることになるので居住者が階段を昇降し難くなる。
【０００５】
このように屋内で洗濯物を干すことに対するニーズは従来からあるものの、洗濯物を干す環境としては不向きなことが多いか、本来の用途をある程度犠牲にするといったものであった。このため、階段下スペース等の屋内の空きスペースを有効に使って洗濯物をより適した環境で干すことに対するニーズが高くなっている。
【０００６】
本発明は上記事実を考慮し、階段下スペースを例えば物干しスペースとして有効に活用することができる階段下スペースを有する建物を得ることが目的である。
【課題を解決するための手段】
【０００７】
請求項１の発明に係る階段下スペースを有する建物は、下方側に階段下スペースが形成された階段と、この階段及び階段付近の壁側の少なくとも一方に設けられ、前記階段下スペースを当該階段下スペースと連通された空間から隔成する仕切り手段と、を有することを特徴とする。
【０００８】
請求項２の発明は、請求項１記載の階段下スペースを有する建物において、前記仕切り手段は、階段側又は壁側に収納可能とされ、不使用時には収納状態とされかつ使用時には階段側又は壁側から引き出される使用状態とされる一又は二以上の仕切り部材を含んで構成されている、ことを特徴とする。
【０００９】
請求項３の発明は、請求項１記載の階段下スペースを有する建物において、前記仕切り手段は、階段側又は壁側に設置され、作動することにより仕切り位置へ向けてエアを噴出するエアカーテンである、ことを特徴とする。
【００１０】
請求項４の発明は、請求項１〜請求項３のいずれか一項に記載の階段下スペースを有する建物において、前記階段には、当該階段に折り畳み可能に設けられると共に、不使用時には階段側に折り畳まれて格納状態とされかつ使用時には階段から離間する方向へ引き出されて使用状態とされる骨組構造体が設けられている、ことを特徴とする。
【００１１】
請求項５の発明は、請求項１〜請求項３のいずれか一項に記載の階段下スペースを有する建物において、前記壁には、前記階段下スペース内において当該壁に対して直交する方向へ伸縮可能な棒状体が設けられている、ことを特徴とする。
【００１２】
請求項６の発明は、請求項４又は請求項５記載の階段下スペースを有する建物において、請求項４記載の骨組構造体又は請求項５記載の棒状体は中空筒状に形成されていると共に周壁部に複数の乾燥風吹き出し孔が形成されており、当該骨組構造体又は当該棒状体には、乾燥風供給手段から乾燥風が供給される、ことを特徴とする。
【００１３】
請求項７の発明は、請求項１〜請求項６のいずれか一項に記載の階段下スペースを有する建物において、前記階段は、壁面に隣接又は近接して設けられている、ことを特徴とする。
【００１４】
請求項８の発明は、請求項１〜請求項６のいずれか一項に記載の階段下スペースを有する建物において、前記階段は、壁面から離間した位置に独立して設けられている、ことを特徴とする。
【００１５】
請求項１記載の本発明によれば、建物には階段が設置されており、その階段の下方側には階段下スペースが形成されている。
【００１６】
ここで、本発明では、階段及び階段付近の壁側の少なくとも一方に仕切り手段が設けられており、この仕切り手段によって階段下スペースを当該階段下スペースと連通された空間から隔成することができる。このため、階段下スペースを一つの独立した空間にすることができ、物干しスペースとして或いは他の用途のスペースとして用いることが可能となる。
【００１７】
請求項２記載の本発明によれば、仕切り手段は一又は二以上の仕切り部材を含んで構成されており、当該仕切り部材は階段側又は壁側に収納可能とされているため、不使用時には階段下スペースから退避させることができる。
【００１８】
請求項３記載の本発明によれば、仕切り手段が階段側又は壁側に設置されたエアカーテンで構成されているため、請求項２記載の発明のように階段側又は壁側に仕切り部材の収納スペースを確保する必要がなく、更に仕切り部材を引き出したり、収納したりする操作が不要になる。
【００１９】
請求項４記載の本発明によれば、階段には当該階段に折り畳み可能に設けられており、不使用時には階段側に折り畳まれて格納状態とされる骨組構造体が設けられているので、不使用時には階段下スペースには何も異物が存在しない状態になる。また、使用時には、骨組構造体は階段から離間する方向へ引き出されて使用されるので、使い勝手が良い。さらに、骨組構造体は階段に折り畳み可能に設けられるので、壁との関係で造作が必要になることもない。
【００２０】
請求項５記載の本発明によれば、階段下スペース内において壁に対して直交する方向へ伸縮可能な棒状体を壁に設けたので、階段下スペースを使って洗濯物を干すことが可能になる。しかも、不使用時には棒状体を縮めておくことができるので、階段下スペースの外観も良好に保たれる。
【００２１】
請求項６記載の本発明によれば、骨組構造体又は棒状体は中空筒状に形成されており、その内部に乾燥風供給手段から乾燥風が供給される。供給された乾燥風は骨組構造体又は棒状体の周壁部に形成された複数の乾燥風吹き出し孔から噴出される。従って、洗濯物が早く乾く。
【００２２】
請求項７記載の本発明によれば、階段は壁面に隣接又は近接して設けられているので、一般的な階段構造といえる。この種の一般的な階段構造に本発明を適用した場合、階段下スペースの片側の側面は既に壁で仕切られているので、仕切り手段は反対側の側面に対してのみ設ければよい。
【００２３】
請求項８記載の本発明によれば、階段は壁面から離間した位置に独立して設けられているので、一般的な階段構造ではなく、所謂スケルトン階段などがこれに該当する。この場合、階段下スペースの片側の側面だけを仕切って洗濯物等を見えないようにするという使い方ができる他、階段下スペースの両側の側面をそれぞれ仕切って洗濯物等を見えないようにすることも可能である。また、仕切り手段の格納機能がある場合には、不使用時には仕切り手段を格納することができるので、スケルトン階段等の意匠性を損なわずに済む。
【発明の効果】
【００２４】
以上説明したように、請求項１記載の本発明に係る階段下スペースを有する建物は、階段下スペースを例えば物干しスペースとして有効に活用することができるという優れた効果を有する。
【００２５】
請求項２記載の本発明に係る階段下スペースを有する建物は、不使用時には仕切り部材を収納することができるので、階段下スペースの外観品質を良好に保つことができるという優れた効果を有する。
【００２６】
請求項３記載の本発明に係る階段下スペースを有する建物は、収納スペースを確保する必要がない分、階段側又は壁側の設計が容易になり、かつ仕切り手段の使用時及び収納時の操作の手間が省けるので使い勝手が良いという優れた効果を有する。
【００２７】
請求項４記載の本発明に係る階段下スペースを有する建物は、収納性及び使用性に優れ、かつ壁等に大が掛かりな設計変更を要しないという優れた効果を有する。
【００２８】
請求項５記載の本発明に係る階段下スペースを有する建物は、必要なときにのみ階段下スペースを使って洗濯物を干すことができるので、階段下スペースの外観品質を良好に維持しつつ洗濯物を好適な環境で干すことができるという優れた効果を有する。
【００２９】
請求項６記載の本発明に係る階段下スペースを有する建物は、階段下スペースを使って洗濯物を短時間で乾かすことができるという優れた効果を有する。
【００３０】
請求項７記載の本発明に係る階段下スペースを有する建物は、壁面を利用して階段下スペースを仕切り手段で仕切るので、仕切り手段を階段下スペースの片側の側面だけに設ければよく、その分、構造の複雑化を回避することができるという優れた効果を有する。
【００３１】
請求項８記載の本発明に係る階段下スペースを有する建物は、所謂スケルトンタイプの階段に対しても本来の意匠性を損なわずに階段下スペースを有効に活用することができるという優れた効果を有する。
【発明を実施するための最良の形態】
【００３２】
〔第１実施形態〕
以下、図１〜図７を用いて、本発明に係る階段下スペースを有する建物の第１実施形態について説明する。
【００３３】
図１、図３には階段下スペースを物干しとして利用したときの状態を示す斜視図、側面図がそれぞれ示されており、又図２、図４には階段下スペースを物干しとして利用しないときの状態を示す斜視図、側面図がそれぞれ示されている。
【００３４】
これらの図に示されるように、建物１０の内部所定位置には、階段１２が設置されている。階段１２は一階居室１４の壁１６に近接して配置されており、左右一対の側桁１８間に架け渡された複数段の踏板２０及び蹴込み板２２、及び側桁１８上に立設された左右一対の手摺２４といった要素によって構成されている。また、階段１２を昇りきったところには二階廊下２６と繋がる踊場２８が形成されている。側桁１８の下端部は一階居室１４の床３０に支持されており、又側桁１８の上端部は踊場２８を介して直交する二つの壁１６、３４にそれぞれ支持されている。
【００３５】
上述した階段１２の下方側には階段下スペース３２が形成されており、以下に詳細に説明する。階段下スペース３２は、直交する二つの壁１６、３４によって二面が仕切られている。また、階段下スペース３２の壁３４と対向する側は、階段１２によって実質的に仕切られている。そして、階段下スペース３２の壁１６と対向する側のみが開放されている。従って、この階段下スペース３２の壁１６と対向する側を仕切ることができれば、階段下スペース３２は実質的に閉鎖空間とすることができる。
【００３６】
ここで、階段１２と対向する側の壁３４の所定位置（階段下スペース３２に臨む位置）には、直方体形状の凹部３６が形成されている。凹部３６の奥行きは所定寸法に設定されており、一方の側部には仕切り手段としての仕切り部材３８が折り畳み状態で収納されている。また、凹部３６の他方の側部には、扉４０が折り畳み状態で収納されている。仕切り部材３８及び扉４０はいずれもアコーディオンカーテン状に形成されており、折り畳みと引き出しの両方が可能とされている。また、仕切り部材３８の引き出し方向は壁３４から離間する方向（階段１２に接近する方向）であるのに対し、扉４０の引き出し方向は壁１６から離間する方向とされている。
【００３７】
また、図３〜図７に示されるように、凹部３６には、物干しパイプ４２が進退可能に配設されている。詳細に説明すると、物干しパイプ４２は、所定の高さに平行に配置された左右一対の棒状体としての物干し竿４４と、これらの物干し竿４４の先端部がそれぞれ連結された左右一対の可動支柱４６と、これらの物干し竿４４の基端部がそれぞれ連結された左右一対の固定支柱４８と、これらの物干し竿４４の先端部同士及び基端部同士をそれぞれ連結する前後一対の連結パイプ５０と、によって構成されている。可動支柱４６は、壁３４の凹部３６の底部に形成された左右一対の凹溝５２内に収納されるようになっている。また、壁３４の凹部３６の奥側には収容スペース５４（図３、図４参照）が設けられており、この収容スペース５４内に固定支柱４８が収容されている。
【００３８】
物干し竿４４は伸縮可能なパイプ構造とされており、物干し竿４４の先端部には環状の保持具５６が取り付けられている。この保持具５６が可動支柱４６に軸方向に沿って相対移動可能に挿通されている。なお、可動支柱４６の下端部にはローラ５８が取り付けられている。さらに、固定支柱４８は高さ調節可能に構成されている。固定支柱４８の高さを変更すると、それに伴って保持具５６が可動支柱４６に沿って上下動し、物干し竿４４の高さが変更される構成である。
【００３９】
さらに、図７に示されるように、物干し竿４４の基端部にはブロック状のジョイント６２が配設されている。このジョイント６２に固定支柱４８の上端部と物干し竿４４の基端部側が接続されている。また、ジョイント６２には乾燥風供給手段としての温風供給装置６４と連通されたホース６６が接続されている。さらに、物干し竿４４の周壁部には複数の乾燥風噴出し孔としての温風吹出し孔６８が形成されており、これらの温風吹出し孔６８から温風が吹き出るようになっている。なお、本実施形態では、温風供給装置６４によって温風が吹き出されるように構成したが、これに限らず、常温の空気が吹き出されるようにしてもよいし、階段下スペース３２の室温及び湿度に応じて温風と常温の空気とが切り換えられるようにしてもよい。
【００４０】
また、凹部３６の下部側には、回転格納式の作業台７０が設置されている。この作業台７０は不使用時にはヒンジ７２回りに上方へ回動されて凹部３６の底面に密着され、使用時にはヒンジ７２回りに下方へ回動されることにより水平な作業台となるものであり、利便性を向上されるために抽斗７４も備えている。さらに、凹部３６の下部には換気口７６が設置されている。また、壁１６の下部には開口窓７８が形成されている。なお、壁１６、３４には、調湿機能を有する珪藻土等を利用するのが好ましい。
【００４１】
また、上述した凹部３６の側方には、操作パネル８０が配設されている。操作パネル８０には、物干しパイプ４２を使用状態、格納状態に選択的に切換えるためのモード選択スイッチ及び物干しパイプ４２の高さ調節をするための高さ調節スイッチが設けられている他、温風供給装置６４を作動させる温風供給スイッチ、踊場２８の下面に配設された手元灯８２を点灯、消灯させるための照明スイッチ等が設けられている。
【００４２】
（作用・効果）
次に、本実施形態の作用並びに効果について説明する。
【００４３】
建物１０の階段１２の下方側には階段下スペース３２が形成されており、本実施形態では、以下の要領で、この階段下スペース３２を物干しスペースとして利用することができる。
【００４４】
天候不良時や外出時等、洗濯物を屋内で干す必要が生じた際には、操作パネル８０の操作スイッチを操作することにより、仕切り部材３８が図２及び図４に示される格納状態から図１及び図３に示される使用状態にされる。仕切り部材３８が引き出されると、二つの壁１６、３４と階段１２とで四方が囲まれて一つの独立した閉鎖空間が形成される。なお、扉４０は手動で開放するようにしてもよいし、仕切り部材３８を使用状態にする操作スイッチがＯＮされたら、先に扉４０が開放されて続いて仕切り部材３８が引き出されるように制御してもよい。
【００４５】
続いて、操作パネル８０の操作スイッチを操作することにより、物干しパイプ４２を図４及び図６に示される格納状態から図３及び図５に示される使用状態にする。なお、仕切り部材３８の引出し操作と物干しパイプ４２の引出し操作を一つの操作スイッチで連動させて行わせてもよい。また、物干し竿４４の高さが高過ぎる等の場合には、操作パネル８０の操作スイッチを使って、物干し竿４４の高さが自分にとって最適な高さ（作業姿勢を考慮して腰に負担のない高さ）になるように固定支柱４８の高さ調節を行えばよい。固定支柱４８の高さが変わると、それに伴って可動支柱４６に沿って物干し竿４４の高さが変更される。
【００４６】
その後は、図５に示されるように、作業台７０に洗濯籠を置いて洗濯物を干す等の作業を行う。この際、図７に示されるハンガー８４や図示しない小物（洗濯バサミ等）は、作業台７０の抽斗７４の中に入れておけば、非常に作業効率が上がる。
【００４７】
また、短時間で洗濯物を乾かしたい場合には、操作パネル８０の操作スイッチを操作することにより、温風供給装置６４を作動させればよい。温風供給装置６４が作動すると、温風が物干し竿４４内へ供給され、温風吹出し孔６８から温風が吹出される。従って、洗濯物が早く乾く。また、湿気を帯びた空気は適宜換気口７６や開口窓７８から吸い出され、洗濯物の乾燥に快適な空気環境にすることができる。
【００４８】
なお、上記一連の作業をするにあたって、手元が暗い場合には手元灯８２を点灯させればよい。この場合、手動スイッチで点灯及び消灯させてもよいし、物干しパイプ４２の使用位置への移動動作に連動して点灯し、格納位置への移動動作に連動して消灯するように制御してもよい。また、手元灯８２として除菌作用のある照明を用いてもよい。
【００４９】
このように仕切り部材３８が壁３４から引き出されることにより、階段下スペース３２が独立した閉鎖空間となり、物干しスペースとして利用することができる。すなわち、本実施形態によれば、階段下スペース３２を有効に活用することができる。補足すると、建物１０がユニット建物である場合には、壁３４側の造作等は工場内で予め造り込むことができる。従って、かかる建物ユニットに階段を設置するだけで（階段を組み合わせるだけで）階段に本来の昇降機能の他に、他の機能を付加することができる。
【００５０】
また、不使用時には、仕切り部材３８を始め物干しパイプ４２等も凹部３６に格納することができるので、不使用時には階段下スペース３２からこれらを退避させることができる。従って、階段下スペース３２の外観品質を良好に保つことができる。
【００５１】
さらに、壁３４に対して直交する方向でかつ階段下スペース３２内へ伸縮可能な物干しパイプ４２を設置したので、階段下スペース３２を使って洗濯物を干すことが可能になる。しかも、不使用時には物干しパイプ４２を縮めておくことができるので、階段下スペース３２の外観も良好に保たれる。すなわち、本実施形態によれば、必要なときにのみ階段下スペース３２を使って洗濯物を干すことができるので、階段下スペース３２の外観品質を良好に維持しつつ洗濯物を好適な環境で干すことができる。
【００５２】
また、物干しパイプ４２には温風供給装置６４が接続されており、必要に応じて温風を物干し竿４４内へ供給して温風吹出し孔６８から温風を吹出させることができる。このため、階段下スペース３２を使って洗濯物を短時間で乾かすことができる。なお、本実施形態では、物干し用に温風供給装置６４を独立して備えているが、これに限らず、建物内の空調システムを利用してもよい。
【００５３】
さらに、階段１２は壁１６に近接して設けられているので、一般的な階段構造といえる。この種の一般的な階段構造に上記構造を適用した場合、階段下スペース３２の片側の側面は既に壁１６で仕切られているので、仕切り部材３８は壁１６と反対側の側面に対してのみ設ければよい。従って、仕切り部材３８を物干しパイプ４２の両サイドに一対設ける場合に比し、構造の複雑化を避けることができる。
【００５４】
〔第２実施形態〕
次に、図８〜図１０を用いて、本発明に係る階段下スペースを有する建物の第２実施形態について説明する。なお、前述した第1実施形態と同一構成部分については、同一番号を付してその説明を省略する。
【００５５】
図８〜図１０に示されるように、この第２実施形態では、上述した物干しパイプ４２の替わりに、階段１２自体に折り畳み式の骨組構造体としての物干しパイプ９０を設置した点に特徴がある。物干しパイプ９０は、矩形枠状のフレーム９２を備えている。フレーム９２の中間二箇所には、ジョイント９４を介して２本のパイプ９６が架設されている。さらに、階段１２の下面側の所定位置（各ジョイント９４の直上位置）には、Ｌ字状のブラケット９８がそれぞれ取り付けられている。ブラケット９８の下端部にはストレート形状の第１リンク１００の上端部がヒンジ結合されており、更に第１リンク１００の下端部にはストレート形状の第２リンク１０２の上端部がヒンジ結合されている。そして更に、第２リンク１０２の下端部がジョイント９４にヒンジ結合されている。これにより、フレーム９２は階段１２に対して平行に吊り下げられており、かつ平行移動することにより折り畳み可能となっている。
【００５６】
また、上述した階段１２の側桁１８の内側には、側桁１８の長手方向に沿って長尺状のケース１０４が配設されている。ケース１０４にはロールスクリーン１０６が付勢力で層状に巻き取られた状態で収容されており、必要に応じてロールスクリーン１０６の角部に取り付けられたフック１０８を引き出すことにより、図８の二点鎖線で示すように張設され、目隠し用の仕切り部材として機能する。なお、フック１０８の先端部には係止孔が形成されており、床３０にはフック１０８が係止されるアンカ１１０が取り付けられている。
【００５７】
（作用・効果）
上記構成によれば、階段下スペース３２を物干しとして利用する場合、階段１２の側桁１８の内側に設置されたケース１０４からロールスクリーン１０６を引き出して、床３０のアンカ１１０にフック１０８を係止させれば、仕切りが形成される。次に、物干しパイプ９０を格納状態から引き降ろして使用状態とすることにより、フレーム９２の横パイプ（フレーム９２の上下のパイプと中間の２本のパイプ９６）を使って洗濯物を干すことができる。このように物干しパイプ９０は第１リンク１００及び第２リンク１０２を使ったリンク機構により片手で上げ下げできるので、使い勝手が良い。
【００５８】
不使用時には、フック１０８をアンカ１１０から外せば、付勢力で自動的にケース１０４内にロールスクリーン１０６が巻き取られて格納される。また、物干しパイプ９０も階段１２側へ押し上げることにより、簡単に折り畳み状態になるので、階段下スペース３２にはアンカ１１０を除いて何も異物が存在しない状態になる。
【００５９】
さらに、物干しパイプ９０は階段１２の下面側に支持されており、壁１６、３４とは無関係に設置される構成であるため、壁１６、３４との関係で造作が必要になることもない。
【００６０】
上記より、本実施形態によれば、収納性及び使用性に優れかつかつ壁１６、３４等に大が掛かりな設計変更を要しないというメリットが得られる。
【００６１】
〔第３実施形態〕
次に、図１１及び図１２を用いて、本発明に係る階段下スペースを有する建物の第３実施形態について説明する。なお、前述した第1実施形態等と同一構成部分については、同一番号を付してその説明を省略する。
【００６２】
図１１及び図１２に示されるように、この第３実施形態では、階段の意匠性を高めるために階段を骨組みだけで構成して設置する所謂スケルトン階段１２０に対して本発明を適用した点に特徴がある。なお、このスケルトン階段１２０は、前述した第１実施形態及び第２実施形態と異なり、壁１６から充分に離間した距離に配置されており、壁３４の幅方向の中間部付近において支持されている。また、構造的には、一例として左右の側桁の替わりに階段幅方向の中央に１本の支持部材１２２が配置されており、この支持部材１２２の各段差部に踏板２０と蹴込み板２２とが取り付けられている。
【００６３】
この場合、リビング等の部屋の用途に応じてスケルトン階段１２０の片側の側部のみに仕切り部材が存在すれば目隠しとして充分な場合もあると思われるが、両側の側部に左右一対の仕切り部材を設けて階段下スペース３２を独立した閉鎖空間とするものである。
【００６４】
そのため、図１１に示されるように、物干しパイプ４２の先端部の左右一対の可動支柱４６にはブラケット１２４を介して凹部３６の蓋１２６が固定されており、その両サイドにロールスクリーン１０６がそれぞれ引き出されるようになっている。具体的には、ロールスクリーン１０６の先端部には、ロールスクリーン１０６にテンションを与えるためのバー１２８が取り付けられており、このバー１２８の側部上下には固定ピン１３０がそれぞれ立設されている。これに対応して、可動支柱４６の側部上下にも固定ピン１３０側へ向けて連結ピン１３２がそれぞれ立設されており、固定ピン１３０と連結されたラッチ１３４に係合されることにより、物干しパイプ４２とバー１２８とを解除可能に連結し、物干しパイプ４２の移動にロールスクリーン１０６の動作を連動させるようになっている。なお、図１１には、片側のロールスクリーン１０６のみを実線で図示し、手前側のロールスクリーンについては図示を省略している。
【００６５】
（作用・効果）
上記構成によれば、階段下スペース３２を物干しとして利用する場合、操作パネル８０の操作スイッチを操作することにより、物干しパイプ４２が格納状態から伸長されていく。このとき、凹部３６を塞いでいる蓋１２６も一緒に移動していく。また、蓋１２６の両側部にはロールスクリーン１０６の先端部が係止されているので、蓋１２６が物干しパイプ４２の伸長動作に伴ってスケルトン階段１２０の下方へ延び出していくと、左右のロールスクリーン１０６も連動して引き出されていき、階段下スペース３２に閉鎖空間が形成される。従って、前述した第１実施形態と同様の作用・効果が得られる。
【００６６】
また、本実施形態では、壁３４側から物干しパイプ４２、左右一対のロールスクリーン１０６及び蓋１２６が同期して格納位置から使用位置まで移動されるので、スケルトン階段１２０が備えている本来の意匠性を損なわずに、階段下スペース３２を有効に活用（物干しスペースとして活用）することができる。
【００６７】
〔本実施形態の補足説明〕
（１）  本発明の適用対象は、階段下スペースを有する建物であればよい。従って、上述した各実施形態で説明したような戸建て住宅であってもよいし、上下階で一戸に区画されたマンションのような集合住宅であってもよい。また、戸建て住宅の場合、ユニット住宅でもよいし、軸組構造の一般的な住宅でもよい。
【００６８】
（２）  上述した実施形態では、仕切り手段として仕切り部材３８、ロールスクリーン１０６を用いたが、これに限らず、作動することにより階段下スペース３２の両側部にエアを噴出してエアカーテンを形成するものを用いてもよい。エアカーテンを用いれば、仕切り部材の収納スペースを壁３４に確保する必要がなくなり、その分、階段側又は壁側の設計が容易になる。また、仕切り部材を引き出したり収納したりする操作が不要になるので、仕切り手段の使用時及び収納時の操作の手間が省けるので使い勝手が良い。
【００６９】
（３）  上述した実施形態では、階段下スペース３２を物干しとして利用したが、これに限らず、他の用途に適用してもよい。例えば、本構造は、衣替えの時期等に一時的に衣裳部屋として利用するような場合に好適である。また、第２実施形態の骨組構造体としての物干しパイプ９０の替わりに、ウォークインクローゼット等を設置してもよい。
【００７０】
（４）  上述した実施形態では、壁３４又は階段１２、１２０に仕切り手段が設けられていたが、これに限らず、壁３４及び階段１２、１２０の双方に仕切り手段を設けてもよい。例えば、第１実施形態の仕切り部材３８と第２実施形態、第３実施形態のロールスクリーン１０６とを組み合わせてもよい。
【図面の簡単な説明】
【００７１】
【図１】第１実施形態に係る階段下スペースを有する建物の要部を示すである。
【図２】図１に示される階段下スペースを利用しないときの状態を示す斜視図である。
【図３】図１に示される階段下スペースを物干しとして利用した場合の側面図である。
【図４】図３に示される状態から仕切り部材及び物干しパイプを格納した状態を示す図３に対応する側面図である。
【図５】図３に示される物干しパイプを示す斜視図である。
【図６】図５に示される状態から物干しパイプを格納した状態を示す図５に対応する斜視図である。
【図７】図３に示される物干しパイプを拡大した拡大斜視図である。
【図８】第２実施形態に係る階段下スペースを有する建物の要部を示す斜視図である。
【図９】図８に示される物干しパイプの使用時と格納時の状態を示す要部拡大側面図である。
【図１０】図８に示される物干しパイプの使用状態を示す図３に対応する側面図である。
【図１１】第３実施形態に係る階段下スペースを有する建物の要部である物干しパイプ及びロールスクリーンを拡大して示す斜視図である。
【図１２】図１１に示される物干しパイプの使用状態を示す図３に対応する側面図である。
【符号の説明】
【００７２】
１０      建物
１２      階段
１６      壁
３２      階段下スペース
３４      壁
３８      仕切り部材（仕切り手段）
４２      物干しパイプ
４４      物干し竿（棒状体）
６４      温風供給装置（乾燥風供給手段）
６６      ホース（乾燥風供給手段）
６８      温風吹出し孔（乾燥風噴出し孔）
９０      物干しパイプ（骨組構造体）
１０６    ロールスクリーン（仕切り部材、仕切り手段）
１２０    スケルトン階段（階段）
【図１】
2008259569.tif 000003
【図２】
2008259569.tif 000004
【図３】
2008259569.tif 000005
【図４】
2008259569.tif 000006
【図５】
2008259569.tif 000007
【図６】
2008259569.tif 000008
【図７】
2008259569.tif 000009
【図８】
2008259569.tif 000010
【図９】
2008259569.tif 000011
【図１０】
2008259569.tif 000012
【図１１】
2008259569.tif 000013
【図１２】
2008259569.tif 000014